(57)【要約】【課題】  部品の集合である部品区分の部品区分名は、作業が変わると、その作業に適した部品区分にグループ化が必要であった。【解決手段】  複数の属性ごとに部品の集合である部品区分の部品区分名を付与する手段と、属性ごとの部品の部品区分名を記憶する部品区分名記憶手段と、属性を指定することにより部品の部品区分名を部品区分名記憶手段から抽出する手段と、から成る。【選択図】  図１
2005165715.tif 000002
【特許請求の範囲】
【請求項１】
複数の属性ごとに部品の集合である部品区分の部品区分名を付与する手段と、前記属性ごとの前記部品の部品区分名を記憶する部品区分名記憶手段と、属性を指定することにより前記の部品の部品区分名を部品区分名記憶手段から抽出する手段と、から成ることを特徴とする図形処理装置。
【請求項２】
部品にその部品が属する部品区分で区切るように識別情報を付与する識別情報付与手段をさらに含む請求項１記載の図形処理装置。
【請求項３】
属性に対応する部品区分名の情報を記憶する部品区分名情報記憶手段と、指定されている属性に対応する部品区分名の情報を出力する部品区分名情報出力手段と、をさらに含む請求項１記載の図形処理装置。
【請求項４】
複数の属性ごとに部品の集合である部品区分の部品区分名を付与するステップと、前記属性ごとの前記部品の部品区分名を部品区分名記憶手段に記憶させるステップと、属性を指定することにより前記の部品の部品区分名を部品区分名記憶手段から抽出するステップと、から成ることを特徴とする図形処理方法。
【請求項５】
部品にその部品が属する部品区分で区切るように識別情報を付与する識別情報付与ステップをさらに含む請求項４記載の図形処理方法。
【請求項６】
指定されている属性に対応する部品区分名の情報を、属性に対応する部品区分名の情報を記憶している部品区分名情報記憶手段から抽出し、出力するステップと、をさらに含む請求項４記載の図形処理方法。
【発明の詳細な説明】
【技術分野】
【０００１】
本発明は、機械、建築等の設計、製図等に使用される図形処理装置および図形処理方法に関する。
【背景技術】
【０００２】
三次元CAD装置や三次元レビュー装置等の図形処理装置の三次元基本形状の部品名は、三次元基本形状一つに対して一つしか許可していない。ここで三次元基本形状とは直方体、円筒などの三次元形状図形を構成する上で基本となる形状を意味する。部品名は、部品の集合名である部品区分名と部品区分内番号で構成されている。これは三次元基本形状の部品名は、全三次元基本形状データ中の全ての部品名の中でユニーク性を保つためであり、このユニーク性によって三次元基本形状の検索の高速化、入力の簡易化に寄与している。
【０００３】
一方、近年図形処理装置を使用して、三次元基本形状を組合わせて発電プラント内の機器、配管、鉄骨等の各種部品を精密にコンピュータ上でモデル化して、実際の建設前に検証を行なうことが始められた。発電プラント内の各種部品に対して、各種エンジニアリング段階別に考えると、多くのグループ化（部品の集合の指定）が必要になる。配管を例にとると、初期の設計段階では配管の機能および系統別にグループ化を行い、製作段階では配管の製作に可能な大きさを元にグループ化を行い、工事・搬入段階では搬入に可能な大きさを元にグループ化を行われており、そのそれぞれのエンジニアリング段階で、そのグループ化が適切かどうかのシミュレーションを施す必要がある。特に工事・搬入段階においては、大型配管ブロックとして発電プラント内に他部品に干渉せず搬入据付を行うことを目的とするために、どのようにグループ化するかのシミュレーションは、極めて重要な大型配管ブロック決定条件となってくる。
【０００４】
【特許文献１】特開平８−２９７６９３号公報
【発明の開示】
【発明が解決しようとする課題】
【０００５】
大型配管ブロックのシミュレーションを行う場合、すでに設計段階で系統別部品名としてグループ化された三次元基本形状に対して、新たにブロックという三次元基本形状のグループ化が必要となる。しかし、三次元基本形状の部品名は、三次元基本形状一つに対して一つしか許可していないために、三次元基本形状には設計段階でつけた系統別の部品名が登録されている。よって、大型配管ブロックにする三次元基本形状に対して、部品名を使って一括で指定することはできず、三次元基本形状を一つ一つ手動で指定してグループ化をしていた。その一回のグループ化のための三次元基本形状の指定作業は時間のかかるものであり、また、搬入する周囲の環境に応じて試行錯誤で配管ブロックのグループ化をその都度変えてシミュレーションを行うために、大型配管ブロック形状を決定するためのシミュレーションは大きな労力を伴うものだった。
【０００６】
ところで、図形処理装置を用いて、部品変換リストに従って、部品構成データを組立関係データへ変換する方法が開発されている（上記特開平8-297693号「組立順序作成装置および組立順序作成方法」）。しかしながら、例えば、系統別にグループ化された部品を、搬入の検討に必要なグループで表わす工夫がなく、結局、三次元基本形状を一つ一つ手動で指定してグループ化せざるを得なかった。
【０００７】
このように、一つの三次元基本形状に対して、部品区分名を一つしか持てないために、新たな部品区分名が、現在の複数の部品区分名にかかったり、現在の部品区分名の一部に対してのものである場合、直接三次元基本形状の部品名を指定する必要があった。
【０００８】
本発明の目的は、仮想的に複数の部品区分名を持たせることにより各作業の段階ごとにその段階に適した部品区分名を三次元基本形状につけることができ、これにより、各種作業の効率を向上させることができる図形処理装置および図形処理方法を得ることにある。
【課題を解決するための手段】
【０００９】
本発明は、上記目的を達成するために、複数の属性ごとに部品の集合である部品区分の部品区分名を付与する手段と、前記属性ごとの前記部品の部品区分名を記憶する部品区分名記憶手段と、属性を指定することにより前記の部品の部品区分名を部品区分名記憶手段から抽出する手段と、から成ることを特徴とする図形処理装置を提供する。
【００１０】
また、本発明は、複数の属性ごとに部品の集合である部品区分の部品区分名を付与するステップと、前記属性ごとの前記部品の部品区分名を部品区分名記憶手段に記憶させるステップと、属性を指定することにより前記の部品の部品区分名を部品区分名記憶手段から抽出するステップと、から成ることを特徴とする図形処理方法を提供する。
【発明の効果】
【００１１】
本発明によれば、属性を指定することにより前記の部品の部品区分名を部品区分名記憶手段から抽出するので、各作業の段階ごとにその段階に適した部品区分名を三次元基本形状につけることができ、これにより、各種作業の効率を向上させることができる。
【発明を実施するための最良の形態】
【００１２】
以下、本発明の一実施例を図１から図７を参照して説明する。
【００１３】
図１は、本発明の一実施例のフローチャートである。
ステップ101は着目した部品である三次元基本形状に部品区分名を属性情報ごとに入力する設定ステップである。三次元基本形状を指定する方法は、対話型に画面上の部品群に対してグループ範囲を指定することで可能である。この情報は部品名と属性情報を列挙した部品区分名記憶手段であるリストとして格納される。ステップ102は、ステップ103で検索される変換前の部品区分名の指定入力である。ステップ103は、現在の属性における同じ部品区分名の部品を検索するステップである。ステップ104は、ステップ103によって検索された部品名の部品区分名部分を、変換後の属性における部品区分名に変換するステップである。ステップ105は、ステップ102によって指定された部品区分名に属する全ての部品が終了するまでステップ103、ステップ104を繰返すステップである。ステップ106は、ステップ104によって変換された全ての部品名について、三次元基本形状毎に識別情報である番号を部品区分名内で順次的に付番する。これにより各三次元基本形状のユニークをとることが可能となり、また同一の部品区分名でグループされたことになる。ステップ107は、ステップ103、104、105、106によって行われた処理を図形処理装置の表示に使用される記憶手段に記憶させるステップである。これにより、元の部品区分名記憶手段を編集せずにすむことが可能である。
【００１４】
この図１のフローチャートでは、部品区分をステップ102によって指定し、この部品区分の範囲で部品区分名を変換しているので、変換に要する処理の時間を短縮できる。ステップ102で部品区分名を指定せずに、全ての部品の部品区分名を変換してもよい。
【００１５】
図２は、各属性における部品と部品区分名の関係を記憶している部品区分名記憶手段である。これは三次元CAD装置上で部品範囲で指定したものであり、図１のステップ101で作成される。属性1、2、3とは現在付けられている部品名を決める要因となる分類である。例えば、属性1は、系統別に作業をするときの分類であり、属性2は、製作の作業をするときの分類であり、属性3は、搬入をするときの分類である。
【００１６】
例えば、部品1は属性1における部品区分名はX、属性2における部品区分名はA、属性3における部品区分名はCである。
【００１７】
図３は、一実施例で表示される部品の模式図であり、属性1における部品群を示している。
【００１８】
部品1、2、3、4はそれぞれが三次元基本形状であり、全体として三次元形状図形を表している。
【００１９】
図４は、一実施例で表示される部品の模式図であり、属性2における部品群を示している。部品1、2は、部品区分名Aであり、部品3、4は部品区分名Bである。
【００２０】
図５は、一実施例で表示される部品の模式図であり、属性3における部品群を示している。部品1は、部品区分名Cであり、部品2、3は部品区分名Dであり、部品4は部品区分名Eである。
【００２１】
これら図３、図４、図５における部品（三次元基本形状）は、画面上で範囲指定することにより同一の部品区分名でグループ化したものである。
【００２２】
現在の属性が属性1である場合（図１ステップ102）、図２の属性1にしたがって、各部品の部品区分名が表示される。
【００２３】
属性2に表示を切り替える場合、部品区分名Xの部品を検索し（図１ステップ103）、順次、属性2の部品区分名に変換する（図１ステップ104）。
【００２４】
図２の属性2にしたがって、各部品の部品区分名が表示される。
【００２５】
図６は、識別情報が付与された表示用の部品区分名記憶手段である。この図６の例では、属性３の状態で図形処理装置が部品名が表示されている。
【００２６】
各部品には識別情報である番号が付与されている。すなわち、それぞれの部品1、2、3、4には部品区分名別に部品区分内番号が自動的に付番され、同一部品区分名でありながら、ユニークとなるようになっている。例えば、部品区分名Ｄでは、部品区分名Ｄのなかで、001、002と順番に番号が付与される。
【００２７】
この実施例によって図３に示された部品群を、図２に示された属性と部品区分名との関係をもとに、グループを変換することにより、図４や図５に示された部品群へグループ変換することが可能である。また、部品1、2、3、4は部品区分名単位で部品区分内番号が付番され、同一部品区分名でありながら、ユニークとなるようになっている。
【００２８】
図７は、一実施例の部品区分名情報記憶手段の表である。
【００２９】
部品区分名情報記憶手段は、属性に対応する部品区分名の情報を記憶しており、例えば、属性2の部品区分名Aには、調達先、納期などの情報が記憶されている。表示画面上で部品や部品群を指定することにより、対応する部品区分名の情報を部品区分名情報記憶手段から抽出し、例えば、表示画面にウインドウ表示させることができる。これにより、属性が変わっても、その属性に応じた情報を容易に取り出せるので、作業を効率的に行なうことができる。
【図面の簡単な説明】
【００３０】
【図１】本発明の一実施例のフローチャート。
【図２】本発明の一実施例の部品区分名記憶手段の表。
【図３】本発明の一実施例で表示される部品の模式図。
【図４】本発明の一実施例で表示される部品の模式図。
【図５】本発明の一実施例で表示される部品の模式図。
【図６】本発明の一実施例の部品区分名記憶手段の表。
【図７】本発明の一実施例の部品区分名情報記憶手段の表。
【符号の説明】
【００３１】
１、２、３、４…部品、201、601…部品区分名記憶手段、701…部品区分名情報記憶手段。
【図１】
2005165715.tif 000003
【図２】
2005165715.tif 000004
【図３】
2005165715.tif 000005
【図４】
2005165715.tif 000006
【図５】
2005165715.tif 000007
【図６】
2005165715.tif 000008
【図７】
2005165715.tif 000009